(57)【要約】【課題】スピニングリールのリール本体において、リール本体にカバー部材を容易に装着固定できるようにする。【解決手段】スピニングリールのリールボディ２ａは、脚部２ｂと一体成形された本体部材２ｆと、本体部材２ｆ側部の開口を塞ぐように本体部材２ｆにねじ止めされる蓋部材２ｄとを有している。本体部材２ｆ及び蓋部材２ｄの後方には、本体部材２ｆ及び蓋部材２ｄの外形に沿ってカバー部材２３が装着されている。カバー部材２３の装着面には、前方に突出した係止突起２３ａが形成されており、本体部材２ｆには係止突起２３ａが貫通する係止孔２ｇが形成されている。ここでは、係止孔２ｇに係止突起２３ａを係止させることにより、カバー部材２３を本体部材２ｆ及び蓋部材２ｄに固定している。【選択図】　　　図３
2004081150.tif 000002
【特許請求の範囲】
【請求項１】
釣竿に装着され、前方に釣り糸を繰り出し可能なスピニングリールのリール本体であって、
前記釣竿に装着される竿取付脚部と、
前記竿取付脚部と連設されたリールボディと、
前記竿取付脚部及び前記リールボディの少なくともいずれかを覆うように後方から装着されるカバー部材と、
前記カバー部材の装着面に突出して形成された係止突起と、
前記竿取付脚部及び前記リールボディの少なくともいずれかに形成され、前記係止突起が貫通して係止される係止孔と、
を備えたスピニングリールのリール本体。
【請求項２】
前記リールボディは、側部が開口する収納空間を内部に有する本体部材と、前記本体部材の開口を覆うように着脱自在に前記本体部材にねじ止めされる蓋部材とを有している、請求項１に記載のスピニングリールのリール本体。
【請求項３】
前記係止孔は前記本体部材に形成されている、請求項２に記載のスピニングリールのリール本体。
【請求項４】
前記係止孔は前記蓋部材に形成されている、請求項２に記載のスピニングリールのリール本体。
【請求項５】
前記係止孔は前記竿取付脚部に形成されている、請求項１又は２に記載のスピニングリールのリール本体。
【請求項６】
前記カバー部材は前記リールボディにねじ止め固定されている、請求項１から５のいずれかに記載のスピニングリールのリール本体。
【請求項７】
前記竿取付脚部は前記本体部材と一体成形されている、請求項２から６のいずれかに記載のスピニングリールのリール本体。
【請求項８】
前記竿取付脚部は前記蓋部材と一体成形されている、請求項２から６のいずれかに記載のスピニングリールのリール本体。
【発明の詳細な説明】
【０００１】
【発明の属する技術分野】
本発明は、リール本体、特に、前方に釣り糸を繰り出し可能なスピニングリールのリール本体に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。また、リール本体の後部には、リール本体を覆うように後方からカバー部材が装着されている。カバー部材は、リール本体の複数箇所に形成された装着部に複数のねじ部材によってねじ止め固定されている。
【０００４】
【発明が解決しようとする課題】
前記従来のスピニングリールでは、カバー部材はリール本体の複数箇所に形成された装着部に複数のねじ部材によってねじ止め固定されている。ここでは、リール本体には、ねじ部材装着用の装着部を複数箇所に形成しなければならない。このため、リール本体の形状が複雑になるとともに、竿取付脚部及びリールボディの形成が困難になるおそれが生じる。
【０００５】
本発明の課題は、スピニングリールのリール本体において、リール本体にカバー部材を容易に装着固定できるようにすることにある。
【０００６】
【課題を解決するための手段】
発明１に係るスピニングリールのリール本体は、釣竿に装着され前方に釣り糸を繰り出し可能なスピニングリールのリール本体であって、釣竿に装着される竿取付脚部と、竿取付脚部と連設されたリールボディと、竿取付脚部及びリールボディの少なくともいずれかを覆うように後方から装着されるカバー部材と、カバー部材の装着面に突出して形成された係止突起と、竿取付脚部及びリールボディの少なくともいずれかに形成され係止突起が貫通して係止される係止孔とを備えている。
【０００７】
このリール本体では、竿取付脚部及びリールボディの少なくともいずれかに係止孔が形成され、リール本体の後方からカバー部材に形成された係止突起が係止孔を貫通して係止される。ここでは、たとえば係止突起を係止孔に弾性係止させることにより、単純な構成で容易にリール本体にカバー部材を装着固定することができる。
【０００８】
発明２に係るリール本体は、発明１のリール本体において、リールボディは、側部が開口する収納空間を内部に有する本体部材と、本体部材の開口を覆うように着脱自在に本体部材にねじ止めされる蓋部材とを有している。この場合、たとえば本体部材に係止孔が形成され、本体部材の後方からカバー部材に形成され係止突起が係止孔を貫通して弾性係止される。ここでは、係止突起を係止孔に弾性係止させることにより、単純な構成で容易に本体部材にカバー部材を装着固定できる。
【０００９】
発明３に係るスピニングリールのリール本体は、発明２のリール本体において、係止孔は本体部材に形成されている。この場合、カバー部材を本体部材に装着固定できる。
発明４に係るスピニングリールのリール本体は、発明２のリール本体において、係止孔は蓋部材に形成されている。この場合、カバー部材を蓋部材に装着固定できる。
【００１０】
発明５に係るリール本体は、発明１又は２のリール本体において、係止孔は竿取付脚部に形成されている。この場合、カバー部材を取付脚部に装着固定できる。
発明６に係るスピニングリールのリール本体は、発明１から５のいずれかのリール本体において、カバー部材はリールボディにねじ止め固定されている。この場合、カバー部材の装着固定が確実になる。なお、ここでは係止突起を係止孔に弾性係止させるので、ねじ止め固定部は１箇所でよく、従来のように複数箇所にねじ部材装着用の装着部を形成する必要がなくなる。
【００１１】
発明７に係るスピニングリールのリール本体は、発明２から６のいずれかのリール本体において、竿取付脚部は、本体部材と一体成形されている。この場合、竿取付脚部と本体部材とが一体成形されているので、竿取付脚部と蓋部材とが一体成形されている場合に比して、蓋部材の構成が簡素になる。
発明８に係るスピニングリールのリール本体は、発明２から６のいずれかのリール本体において、竿取付脚部は、蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【００１２】
【発明の実施の形態】
本発明の一実施形態が採用されたスピニングリールは、図１に示すように、釣竿の長手方向に沿う軸Ｘ回りに釣り糸を巻き取るレバーブレーキ型のリールであって、ハンドル１を備えたリール本体２と、リール本体２の前部に軸Ｘ回りに回転自在に支持されたロータ３と、ロータ３の前部に配置された釣り糸を巻き取るスプール４とを備えている。
【００１３】
リール本体２は、たとえば合成樹脂製であり、釣竿に装着される前後に長い装着部２ｃと、装着部２ｃと間隔を隔てて配置されたリールボディ２ａと、装着部２ｃとリールボディ２ａとを連結する脚部２ｂとを有している。リールボディ２ａは、内部に機構装着空間を有しており、その側部は開口している。この開口部分は蓋部材２ｄ（図２及び図４参照）により覆われている。リールボディ２ａの前部には、取付フランジ付きの金属製の筒状の取付部材２ｅが装着されている。
【００１４】
リールボディ２ａの内部には、ロータ３を回転させるためのロータ駆動機構５と、ロータ３の糸繰り出し方向の回転（逆転）を制動するためのレバーブレーキ機構６と、スプール軸８を介してスプール４を前後に往復移動させるオシレーティング機構１７とが設けられている。
ロータ３は、たとえば合成樹脂製又は金属製であり、リール本体２に回転自在に支持されている。ロータ３は、円筒部３ａと、円筒部３ａの側方に互いに対向して設けられた第１アーム部３ｂ及び第２アーム部３ｃとを有している。また、円筒部３ａの前壁３ｄの中央部には貫通孔３ｅを有するボス部３ｆが形成されている。この貫通孔３ｅにスプール軸８及び後述するピニオンギア１２が貫通している。第１アーム部３ｂの先端と第２アーム部３ｃの先端部とには、揺動自在にベールアーム９が設けられている。このベールアーム９により釣り糸がスプール４に案内される。
【００１５】
スプール４は、たとえば合成樹脂と金属とを複合したハイブリッド型のものである。スプール４は、ロータ３の第１アーム部３ｂと第２アーム部３ｃとの間に配置されており、スプール軸８の先端にワンタッチ着脱機構５３を介して着脱自在かつ回転不能に装着されている。スプール４は、糸巻胴部７ａを有するスプール本体７と、糸巻胴部７ａの前端部に取り付けられた大径の前フランジ部５１と、前フランジ部５１をスプール本体７に固定するための前フランジ固定部材５２とを有している。スプール本体７は、外周に釣り糸が巻かれる筒状の糸巻胴部７ａと、糸巻胴部７ａの後端部に一体成形された大径筒状のスカート部７ｂと、糸巻胴部７ａの内周側に取り付けられた内筒部材７ｃとを有している。
【００１６】
糸巻胴部７ａ及びスカート部７ｂは、アルミニウム合金、ステンレス合金、チタン合金、マグネシウム合金等の金属薄板をプレス加工により一体成形して得られた大小２段の筒状の部材である。
ロータ駆動機構５は、図１に示すように、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、その前部１２ａはロータ３の貫通孔３ｅを貫通してスプール４側に延びている。この前部１２ａで、ロータ３はナット１３によりピニオンギア１２に回転不能に固定されている。ピニオンギア１２は、前部と中間部とで軸受１４ａ、１４ｂによりリール本体２に回転自在に支持されている。なお、前部の軸受１４ａは、リール本体２を構成する取付部材２ｅの内周面に装着されている。
【００１７】
レバーブレーキ機構６は、図１及び図２に示すように、ロータ３の糸繰り出し方向の回転を制動するための制動部６０と、制動部６０の制動力を調整操作するための制動レバー６１と、制動部６０を所定制動状態に操作するための補助レバー６２と、制動レバー６１を装着部２ｃから離反する方向に付勢するコイルばね６３と、補助レバー６２により所定制動状態と制動解除状態とに切換可能な所定制動部６４（図２参照）と、ロータ３の逆転により発音する発音装置６５（図２参照）とを有している。
【００１８】
リールボディ２ａは、図１〜図４に示すように、脚部２ｂと一体成形され前述の機構装着空間が設けられた本体部材２ｆと、本体部材２ｆ側部の開口を塞ぐように本体部材２ｆにねじ止めされる蓋部材２ｄとを有している。本体部材２ｆ及び蓋部材２ｄの後方には、本体部材２ｆ及び蓋部材２ｄの外形に沿ってカバー部材２３が装着されている。
【００１９】
カバー部材２３の装着面には、図２及び図３に示すように、前方に突出した係止突起２３ａが形成されており、本体部材２ｆには係止突起２３ａが貫通する係止孔２ｇが形成されている。ここでは、係止孔２ｇに係止突起２３ａを係止させることにより、カバー部材２３を本体部材２ｆ及び蓋部材２ｄに固定している。また、カバー部材２３の下部には、図１及び図３に示すように、貫通孔２３ｂが形成されており、ねじ部材２０を挿入することよって本体部材２ｆにカバー部材２３を固定している。
【００２０】
係止突起２３ａは、図５に拡大して示すように、係止孔２ｇに挿通される棒状の棒状部２３ｃと、棒状部２３ｃの先端部に形成された鉤状の鉤状部２３ｄとを有している。
棒状部２３ｃは、図２に示すように、断面矩形の柱状部材であり、係止孔２ｇより僅かに細くなるように形成されている。棒状部２３ｃは、図５に示すように、上方向に弾性力を有する部材であり、棒状部２３ｃを係止孔２ｇに挿通したとき、弾性力によって係止孔２ｇの上面に当接するようになっている。
【００２１】
鉤状部２３ｄは、図５に示すように、係止孔２ｇに挿通可能に形成されている。ここでは、棒状部２３ｃを係止孔２ｇに挿通すると、鉤状部２３ｄの鉤状に折れ曲がった端部２３ｅが本体部材２ｆの前面に当接して係止突起２３ａが本体部材２ｆに弾性係止される。
なお、本実施形態では、係止孔２ｇ及び係止突起２３ａは、図２に示すように、前方にレバーブレーキ機構６が配置されている。このため、係止孔２ｇ及び係止突起２３ａが外方に露出しないので、リールの外観に影響を及ぼしにくくなっている。
【００２２】
このように構成されたスピニングリールでは、リールボディ２ａの本体部材２ｆに形成された係止孔２ｇに、カバー部材２３に形成され係止突起２３ａを貫通させて弾性係止する。ここでは、係止突起２３ａを係止孔２ｇに係止させることにより、単純な構成で容易にリール本体２にカバー部材２３を装着固定することができる。
【００２３】
〔他の実施形態〕
（ａ）　前記実施形態では、レバーブレーキ式のスピニングリールを例に挙げて説明したが、これに限定されるものではなく、フロントドラグ式又はリアドラグ式のスピニングリールや、ドラグ機構を有していないスピニングリール等にも本発明を適用できる。
【００２４】
（ｂ）　前記実施形態では、係止孔２ｇは本体部材２ｆに形成されていたが、蓋部材２ｄや脚部２ｂに係止孔２ｇを形成してもよい。
（ｃ）　前記実施形態では、本体部材２ｆが脚部２ｂと一体成形されていたが、蓋部材２ｄが脚部２ｂと一体成形されていてもよい。
（ｄ）　前記実施形態では、係止孔２ｇに係止突起２３ａを弾性係止していたが、係止手段は弾性係止に限定されない。
【００２５】
【発明の効果】
本発明によれば、スピニングリールのリール本体において、竿取付脚部及びリールボディの少なくともいずれかに係止孔が形成され、リール本体の後方からカバー部材に形成され係止突起が係止孔を貫通して係止されるので、単純な構成で容易にリール本体にカバー部材を装着固定することができる。
【図面の簡単な説明】
【図１】本発明の一実施形態を採用したスピニングリールの側面断面図。
【図２】図１のＩＩ−ＩＩ断面図。
【図３】前記スピニングリールの一部拡大断面図。
【図４】図１のＩＶ−ＩＶ断面図。
【図５】カバー部材係止部分の拡大断面図。
【符号の説明】
２　リール本体
２ａ　リールボディ
２ｂ　脚部
２ｃ　装着部
２ｄ　蓋部材
２ｆ　本体部材
２ｇ　係止孔
２３　カバー部材
２３ａ　係止突起
【図１】
2004081150.tif 000003
【図２】
2004081150.tif 000004
【図３】
2004081150.tif 000005
【図４】
2004081150.tif 000006
【図５】
2004081150.tif 000007